【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
衛生ナプキン、パンティライナー、失禁パッド、おむつ又はそれらの類似物品の如き吸収物品であって、前記物品が縦方向及び横方向、前部分（１）、後部分（２）、前部分と後部分の間に位置される股部分（３）、吸収要素及び液密層（５）を有し、さらに使用中、物品の三次元形状に寄与するように意図される剛化要素（６）を有する場合において、剛化要素（６）が物品の使用前、平坦な状態であること、剛化要素が物品の縦方向において股部分（３）から物品の後部分（２）の少なくとも一部にわたって延びること、剛化要素（６）が物品の縦方向にかつ物品の中央線に沿って延びる少なくとも一つの細長い第二貫通穴（６２０）を後部分（２）において有し、その結果として物品は物品の後部分に生じる横方向の力によって前記第二穴（６２０）に沿って物品の縦方向に沿った折り目を使用中、与えられ、その折り目（１７）は物品の使用中、装着者の尻の間の割れ目中に延び、このようにして物品を装着者上の適所に安定することを特徴とする物品。
【請求項２】
第二穴（６２０）が股部分（３）に隣接したその端においてとがっていること、及び第二穴の幅が後方向において前記端から連続的に増加し、その結果として折り目（１７）の高さが物品の使用中、同じ方向に連続的に増加することを特徴とする請求項１に記載の物品。
【請求項３】
前記第二穴（６２０）は対称的に位置され、前記とがった端において１０〜１２０°、好ましくは１５〜４０°の角度（β）を形成することを特徴とする請求項２に記載の物品。
【請求項４】
剛化要素がさらに股部分（３）にわたって及び少なくとも幾らか前部分（１）にわたって延びること、剛性要素（６）が股部分（３）と前部分（１）の間の移行領域（１２）において幅（Ｍ）を有し、その幅（Ｍ）が装着者の鼠蹊部の装着者の股の両側上の装着者の筋腱の間の距離に適応されかつ１５−４５ｍｍであること、物品の前部分（１）において、剛化要素（６）の側縁が股部分（３）からの方向で少なくとも幾らか前部分（１）にわたって分岐すること、及び剛化要素（６）の側縁が股部分からの方向で物品の縦方向の線と鋭角（α）を形成することを特徴とする請求項１〜３のいずれかに記載の物品。
【請求項５】
剛化要素（６）が吸収性であると同時に吸収要素を構成すること、及び剛化要素（６）が物品の横方向の幾何学的形状を全体として維持しながら吸収中膨潤することを特徴とする請求項１〜４のいずれかに記載の物品。
【請求項６】
股部分（３）と前部分（１）の間の移行領域（１２）における剛化要素（６）の前記幅（Ｍ）が２０−３５ｍｍであることを特徴とする請求項４又は５に記載の物品。
【請求項７】
股部分（３）と前部分（１）の間の移行領域（１２）における剛化要素（６）の前記幅（Ｍ）が２５−３０ｍｍであることを特徴とする請求項４又は５に記載の物品。
【請求項８】
剛化要素（６）がＡＳＴＭ  Ｄ  ４０３２−８２に従って測定すると１−１５Ｎの乾燥状態の剛性を有することを特徴とする請求項１〜７のいずれかに記載の物品。
【請求項９】
剛化要素（６）が０．１５−０．７５ｇ／ｃｍ３の密度及び１００−４００ｇ／ｍ２の単位面積当たりの重量を有する乾式成形された繊維マットからなることを特徴とする請求項１〜８のいずれかに記載の物品。
【請求項１０】
乾式成形された繊維マットが圧縮後、機械的に軟化されて所望の剛性になることを特徴とする請求項９に記載の物品。
【請求項１１】
乾式成形された繊維マットが選択された圧縮度及び選択された圧縮パターンによって所望の減少した剛性及び所望の伸張性を付与されることを特徴とする請求項９又は１０に記載の物品。
【請求項１２】
物品の前部分（１）にわたって股部分（３）から少なくとも幾らか分岐する剛化要素（６）の側縁が３５−５５°、好ましくは４５°の物品の縦方向の線と前記側縁の各々の間の角度（α）を形成するように配置されることを特徴とする請求項４〜１１のいずれかに記載の物品。
【請求項１３】
股部分（３）が７０−１２０ｍｍの長さ（Ｇ）を有すること、及び剛化要素（６）の側縁（１８，１９）が股部分（３）からの方向において物品の後部分にわたって股部分から少なくとも幾らか分岐することを特徴とする請求項４〜１１のいずれかに記載の物品。
【請求項１４】
剛化要素（６）が吸収要素も構成すること、剛化要素（６）が少なくとも１．０Ｎの剛性を有すること、及び剛化要素（６）が剛化要素の全範囲にわたって本質的に同じ剛性で設計されていることを特徴とする請求項１〜１３のいずれかに記載の物品。
【請求項１５】
弾性材料から作られたこぶ形成要素（２４）が股部分（３）の少なくとも一部にわたって吸収要素の下に配置され、そのこぶ形成要素が装着者に対して適合されることを意図される側上で隆起部分（２４０）をもたらすように配置され、隆起部分が装着者上の物品の適合後に装着者の性器の直前に来るように配置されることを特徴とする請求項１〜１４のいずれかに記載の物品。
【請求項１６】
隆起部分（２４０）が物品の縦方向において細長く、かつ２０ｍｍ〜１２０ｍｍの長さを有することを特徴とする請求項１５に記載の物品。
【請求項１７】
隆起部分（２４０）が股領域において物品の残りより狭いこと、及び隆起部分が周囲領域の少なくとも２倍の厚さを有することを特徴とする請求項１５又は１６に記載の物品。
【請求項１８】
弾性手段（１６）が物品の縦方向において、物品の後部分（２）に沿って中央に、そして股部分（３）から少なくともその一部に沿って配置され、その弾性手段（１６）がその長さに沿って、隣接する材料部分を一緒に引張り、装着者の体との良好な接触のために物品を上方に弯曲することを意図されることを特徴とする請求項１〜１７のいずれかに記載の物品。
【請求項１９】
剛化要素（６）が吸収手段として作用し、かつ物品全体の吸収部分にわたって装着者の性器の直前の装着者の解剖学的形状によって境界づけられる比較的狭い股領域において受けた体液を分布するための極めて大きな液体分布能力を有すること、及び剛化要素が深さ方向の大きな膨潤能力及び付随する大きな吸収能力を持つように設計されていることを特徴とする請求項１〜１８のいずれかに記載の物品。
【請求項２０】
剛化要素（６）が吸収要素としても作用し、厚さ、剛性、液体分布能力及び液体吸収能力に関してその全範囲にわたって本質的に均一であり、その結果として剛性要素（６）及び吸収要素が液体の望ましくない分布を起こすかもしれない局部的な不整を形成することなく使用中、均一に弯曲することを特徴とする請求項１８に記載の物品。
【請求項２１】
股部分（３）と前部分（１）の間の前記移行領域（１２）の長さが５−１５ｍｍであり、剛性要素の幅（Ｍ）が装着者の鼠蹊部の装着者の股の両側上の装着者の筋腱の間の距離に適応されていることを特徴とする請求項１〜２０のいずれかに記載の物品。
【請求項２２】
剛化要素（６）が吸収要素も構成すること、及び前記移行領域（１２）の後の剛化要素の幅が最大吸収に関してこの領域内の利用可能な幅空間を最適に利用する目的のために後部分（２）に向かう後向きの方向で股部分（３）において連続的に増加することを特徴とする請求項４〜２１のいずれかに記載の物品。
【請求項２３】
剛化要素（６）のために選択された剛性によって及び股部分（３）と前部分（１）の間の移行領域（１２）及びそのまわりの前記幾何学的形状及び寸法の選択によって、物品が前記筋腱の間の股部分（３）と前部分（１）の間の移行領域（１２）に置かれるように位置されるとき、物品がこれらの間に固定され、このようにして平坦な形態から股部分に対して上方に弯曲した前部分（１）を伴った三次元形態へと変形され、少なくとも股部分（３）に隣接する領域においてボウル状形状を形成することを特徴とする請求項４〜２２のいずれかに記載の物品。